(57)【要約】【課題】イベント運営おける交通規制、通行ルート、スペースの検討、人の流れの制御や、警備計画立案を主催者側の経験や勘のみに頼らずに、履歴データ、実測データ、予測データ等から定量的に判断し実施することにある。【解決手段】任意に設定した期間中、任意に設定した周期にて、イベント会場や通路等の警備対象区域の人出に関連深い周辺地点にカメラを設置し、該カメラにより撮影された画像を画像処理することにより前記周辺地点における人流を計測するとともに、人出と直接関連する交通機関等の流出入地点における予想された人出の流出入データから各周辺地点の人流及び警備対象区域の人出をシステマチックに予測することを特徴とする。【選択図】        図１
2004178358.tif 000002
【特許請求の範囲】
【請求項１】
任意に設定した期間中、任意に設定した周期にて、イベント会場や通路等の警備対象区域の人出に関連深い周辺地点にカメラを設置し、該カメラにより撮影された画像を画像処理することにより前記周辺地点における人流を計測するとともに、人出と直接関連する交通機関等の流出入地点における予想された人出の流出入データから各周辺地点の人流及び警備対象区域の人出をシステマチックに予測することを特徴とするイベント警備監視方法。
【請求項２】
請求項１記載のイベント警備監視方法において、前記周辺地点の人流の実測値に基づいて以降の人流及び警備対象区域の人出の予測値を再予測することを特徴とするイベント警備監視方法。
【請求項３】
請求項１又は２記載のイベント警備監視方法において、任意の時刻に任意の前記周辺地点での通行規制の設定又は解除を行った場合に、以降の人出と人流を予測することを特徴とするイベント警備監視方法。
【請求項４】
任意に設定した期間中、任意に設定した周期にて、イベント会場や通路等の警備対象区域の人出に関連深い周辺地点にカメラを設置し、該カメラにより撮影された画像を画像処理することにより前記周辺地点における人流を計測するとともに、人出と直接関連する交通機関等の流出入地点における予想された人出の流出入データから各周辺地点の人流及び警備対象区域の人出をシステマチックに予測する予測処理部を設けたイベント警備監視装置において、警備対象区域に人出の危険警報値を予め設定し、人出の実測値、予測値が該危険警報値を超えた場合には警報を通知する警報判定部を設けたことを特徴とするイベント警備監視装置。
【請求項５】
請求項４記載のイベント警備監視装置において、人出に間接的に影響すると考えられる過去の諸条件、前記流出入地点からの人出の流出入データ、過去の各流入出地点における人流の時系列データと警備対象区域の人出の時系列データを履歴ファイルとして蓄積記憶させるデータ記憶部を設けたことを特徴とするイベント警備監視装置。
【請求項６】
請求項５記載のイベント警備監視装置を使用し、上記履歴ファイルから次回予測の参考データとして使用したいファイルを指定し、次回の諸条件を模擬入力することで、前記流出入地点からの人出の流出入データを予測処理し、各流出入地点における時系列の人流及び各警備対象区域における時系列の人出を予測処理し、次回警備計画の立案の基礎とすることを特徴とするイベント警備監視方法。
【発明の詳細な説明】
【０００１】
【発明の属する技術分野】
本発明は、イベント警備監視方法及びイベント警備監視装置に関する。具体的には、イベント等の行事において、画像処理を利用して、防犯乃至警備監視を行う装置及び方法に関する。
【０００２】
【従来の技術】
現在、全国各地で国、県、市町村主催のお祭り、花火大会、パレードや、民間主催のイベント、コンサート、各種スポーツ大会等が春夏秋冬日夜を問わず数多く行われている。
これらの行事は、大勢の人が訪れ群衆が集まることとなり、主催者、警察、警備会社等（以下、主催者側と略す）の警備計画や努力にも関わらず、予想外の人出や出来事によりある特定の区域での群衆密度が安全な限界を超え、人身事故につながるケースがある、或いは発生する危険性を秘めていることは否定できない。
【０００３】
主催者側はこれら危険性の回避のために、人出を予想し、警備計画を立て、警備本部を設置し、各要所への警備員を配置してイベント会場周辺の交通規制、歩道の確保を行い、更に人の流れ（流入出速度）を無線で連絡を取りながら制御調整している。
更に、狭い通路等の危険な区域には防犯カメラシステムを設置して、各地点の人出の状況を警備本部で監視したり、画像処理装置で画面上を通過する人間を検出し、人数の自動計測を行い人の流れの制御に使用したりしている場合もある。
【０００４】
学会等の研究報告では、調査場所にカメラを設置して交差点や通路を撮影しその映像を画像処理することにより道路走行車両の検出と追跡計数や歩行者の検出追跡を行うアプローチが多く報告されている。
例えば、高速道路走行車両の検出については非特許文献１、歩行者の挙動検出についての研究報告は非特許文献２に記載されている。
【０００５】
【非特許文献１】
小沢慎治、“ＩＴＳ道路画像における認識と理解”、電子情報通信学会技術研究報告、ＰＲＭＵ９８−９１〜１０５，ｐｐ．９９−１０４．１９９８．
【非特許文献２】
竹内、金子、五十嵐、佐藤、羽根、”ロバスト背景差分及び領域抽出に基づく歩行挙動の画像解析”，画像電子学会誌，ｖｏｌ．３１，ｎｏ．２，ｐｐ．１９３−２０１，２００２．
【０００６】
【発明が解決しようとする課題】
現在の画像処理装置を導入した防犯システムでは、警備対象区域の状況の監視や、人出の人数は把握可能であるが、下記の点が実現されていない。
【０００７】
▲１▼任意に設定した、期間中、任意に設定した周期にて、イベント会場や通路等の警備対象区域の人出（人数、密度）に関連深い周辺地点にカメラを設置し、その地点における人流（流出入量）を画像処理にて計測するとともに、人出と直接関連する交通機関等の流出入地点における予想された人出のデータから各周辺地点（カメラ設置地点）の人流をシステマチックに予測し、通知すること
【０００８】
▲２▼実測値から以降の予測値を再予測すること
▲３▼警備対象区域の人出の危険警報値を予め設定し、上記▲１▼の実測値、予測値がその値を超えた場合は、通知すること
▲４▼任意の時刻に任意の人流計測地点での通行規制の設定や解除を行った場合の、以降の人出と人流を予測処理して通知すること。
▲５▼上記▲３▼の予測警報発生時、任意に通行規制した場合の人出と人流を再予測し通知すること
▲６▼上記▲３▼の予測警報復帰時、任意に通行規制を解除した場合の人出と人流を再予測し通知すること
【０００９】
▲７▼人出に間接的に影響すると考えられる過去の諸条件（日時、曜日、天気、気温、夏休み等の特殊な日、交通機関の到着時刻、開催時刻、閉会時刻等）、人出と直接関連する交通機関等からの流出入データ、過去の各流入出地点における人流の時系列データ（流出入量と通行規制の有無）と警備対象区域の人出（人数及び密度）の時系列データを履歴ファイルとして蓄積記憶させ、通知すること
▲８▼上記▲７▼の履歴ファイルから次回予測の参考データとして使用したいファイルを指定し、次回の諸条件を模擬入力することで、人出と直接関連する交通機関等からの流出入データを予測処理し、各流出入地点における時系列の人の流れ（流出入量）及び各警備対象区域における時系列の人出（人数及び密度）を予測処理し、次回警備計画の立案の基とすること
【００１０】
以上から、現状のイベント運営おける交通規制、通行ルート、スペースの検討、人の流れの制御や、警備計画立案は主催者側の経験や勘に頼るところが大きい。
過去の人出や、各地点の人流に関する定量的なデータが少ないため、次回の警備計画立案時の予想が精度が良くない。
また、主催者の人事異動等で担当者が代わると感覚やノウハウが伝わりにくい。
混雑区域における群衆の密集に対する危険判断は、現場の警備員の及び監視カメラの映像からの状況把握によるものとなり、定量的な危険度の把握及びその値における現場状況の混雑度合いの感覚を掴むことが行えない。
【００１１】
また、定量的な数値による自動通知がなされないため常に人間が全ての危険個所の混雑度合いを監視していなければならず、監視対象が多く、広範囲になるほど、負担が多く、また、見落としの危険性もある。
イベント会場への流入経路が多く複雑になると、実際の人出の状況から、以降の各地点での人流や交通規制の実施、解除を複数の地点で実施する場合もあるが、複雑になるため、全体の人流を把握しながら、各地点連動させて規制の制御を行う判断が難しい。
【００１２】
【課題を解決するための手段】
上記課題を解決する本発明の請求項１に係るイベント警備監視方法は、任意に設定した期間中、任意に設定した周期にて、イベント会場や通路等の警備対象区域の人出に関連深い周辺地点にカメラを設置し、該カメラにより撮影された画像を画像処理することにより前記周辺地点における人流を計測するとともに、人出と直接関連する交通機関等の流出入地点における予想された人出の流出入データから各周辺地点の人流及び警備対象区域の人出をシステマチックに予測することを特徴とする。
【００１３】
上記課題を解決する本発明の請求項２に係るイベント警備監視方法は、請求項１において、前記周辺地点の人流の実測値に基づいて以降の人流及び警備対象区域の人出の予測値を再予測することを特徴とする。
【００１４】
上記課題を解決する本発明の請求項３に係るイベント警備監視方法は、請求項１又は２において、任意の時刻に任意の前記周辺地点での通行規制の設定又は解除を行った場合に、以降の人出と人流を予測することを特徴とする。
【００１５】
上記課題を解決する本発明の請求項４に係るイベント警備監視装置は、任意に設定した期間中、任意に設定した周期にて、イベント会場や通路等の警備対象区域の人出に関連深い周辺地点にカメラを設置し、該カメラにより撮影された画像を画像処理することにより前記周辺地点における人流を計測するとともに、人出と直接関連する交通機関等の流出入地点における予想された人出の流出入データから各周辺地点の人流及び警備対象区域の人出をシステマチックに予測する予測処理部を設けたイベント警備監視装置において、警備対象区域に人出の危険警報値を予め設定し、人出の実測値、予測値が該危険警報値を超えた場合には警報を通知する警報判定部を設けたことを特徴とする。
【００１６】
上記課題を解決する本発明の請求項５に係るイベント警備監視装置は、請求項４において、人出に間接的に影響すると考えられる過去の諸条件、前記流出入地点の流出入地点からの流出入データ、過去の各流入出地点における人流の時系列データと警備対象区域の人出の時系列データを履歴ファイルとして蓄積記憶させるデータ記憶部を設けたことを特徴とする。
【００１７】
上記課題を解決する本発明の請求項６に係るイベント警備監視方法は、請求項５記載のイベント警備監視装置を使用し、上記履歴ファイルから次回予測の参考データとして使用したいファイルを指定し、次回の諸条件を模擬入力することで、前記流出入地点からの流出入データを予測処理し、前記流出入地点における時系列の人流及び各警備対象区域における時系列の人出を予測処理し、次回警備計画の立案の基礎とすることを特徴とする。
【００１８】
【発明の実施の形態】
以下、本発明について図面に示す実施例を参照して詳細に説明するが、本発明においては、人出とは人数及び密度をいい、人流とは流出入量を意味するものとする。
本発明の一実施例に係るイベント警備監視装置を図３に示す。
図３に示すように、本実施例のイベント警備監視装置は、映像入力処理部２０表示部３０、表示処理部４０、画像処理部５０、計測処理部６０、画像記録部７０、操作入力部８０、警報判定部９０、予測処理部１００及びデータ記憶部１１０よりなり、図１に示す警備本部に設置される。
主催者側は、イベント警備監視装置を利用して警備計画案を立案する。
警備計画案は、以下の通り、会場周辺警備地図の作成、会場警備系統図の作成及び人出の予測と通行規制計画の立案に従って作成される。
【００１９】
（１）会場周辺警備地図の作成
過去の実績や、データをもとに、交通規制区域と通行路の区分、通行方向、関連交通機関も考慮した人の流出入地点、警部本部、各警備地点、カメラの設置地点、警備対象区域、イベント警備監視装置の設置場所等を明確化し、図１のような会場周辺警備地図を予め作成する。
システム的に人流計測及び予測を行うため、最寄りの交通機関等、警備対象区域Ａ１〜Ａｎの人出に関連する人の流入出地点を全て予め抽出して、カメラ１０の設置地点Ｐ１〜Ｐｎを予め決定する。
本実施例では、図１に示すように、警備対象区域としては、イベント会場Ａ１、歩道橋Ａ２、道路（歩行者天国）Ａ３，Ａ４の四箇所とし、カメラ１０の設置地点としては、Ｐ１〜Ｐ１３の１３箇所とした。
尚、図１では、警備員を配置したカメラ監視地域（図中、斜線を入れて示す）も設置した。
【００２０】
（２）会場警備系統図の作成
図１に示す会場周辺警備地図をもとに、図２のような警備対象区域（会場、通路等）Ａ１〜Ａｎ、通行方向、カメラの設置地点Ｐ１〜Ｐｎ、人出と直接関連する交通機関等の流出入地点Ｂ１〜Ｂ４の簡易な系統図である会場警備系統図を作成し、データ記憶部１１０に記憶させる。
本系統図は、イベント警備監視装置の表示部３０に表示する系統監視画面として作成し、警備対象区域Ａ１〜Ａｎの面積、人出（人数、密度）、カメラの設置地点Ｐ１〜Ｐｎでの人流（流出入量）等の計測値、通行規制の有無を表示することに用いる。
【００２１】
（３）人出の予測と通行規制計画の立案（過去履歴データを使用しない場合）
人出の予測と通行規制計画は、人出データ一覧表の作成、予測条件、流出入データの予想入力、カメラの設置地点の人流、警備対象区域の人出の予測、予測結果の表示、警備対象区域の危険警報処理、通行規制の計画の策定よりなる。
▲１▼人出データ一覧表の作成
イベント警備監視装置の表示部３０に人出に間接的に影響すると考えられる過去の諸条件（日時、曜日、天気、気温、夏体み等の特殊日、各交通機関の到着時刻、開催時刻、閉会時刻等）を抽出表示し、表１の人出データ一覧表（事前予測用）のフォーマットを作成し、データ記憶部１１０に記憶させる。
【００２２】
【表１】
2004178358.tif 000003
【００２３】
▲２▼予測条件、流出入データの予想入力
天気予報、時刻表等の各種情報から、上記諸条件と指定した対象期間中の流出入地点Ｂ１〜Ｂ４の流出入データを予想し全て操作入力部８０より入力し、データ記憶部１１０に記憶させる。
流出入地点としては、人出に直接関連する地点をいい、表１に示すように、例えば、Ｂ１は○○電鉄△駅（上り）、Ｂ２は○○電鉄△駅（下り）、Ｂ３は××バス○停留所（Ａ方面）、Ｂ４は××バス○停留所（Ｂ方面）、Ｂ５は徒歩・自転車その他（合計）がある。
【００２４】
▲３▼カメラの設置地点の人流、警備対象区域の人出の予測
入力されたＢ１〜Ｂ４の流出入データの流出入量の値から、各カメラの設置地点Ｐ１〜Ｐｎにおける人流の時系列データ（流出入量と通行規制等）と警備対象区域Ａ１〜Ａｎの人出の時系列データ（人数及び密度）を予測演算するための演算式及び係数を作成し、予測処理部１００に入力しておく。
演算式及び係数の一例を以下に示す。
【００２５】
各時間毎のカメラ設置地点Ｐｎの人の流入量をＰｎｉｎ、流出量をＰｎｏｕｔとすると、人出の流出入データＢｎｉｎ（流入量），Ｂｎｏｕｔ（流出量）及び各係数を用いて下記の通り予測算出する。
ただしＸ１１ｉｎ，Ｘ１１ｏｕｔは、Ｐ１１地点の流出入量からバス停利用の流出入量分を除いた数値である。
ａｎｉｎ：地点ｎに流入する遅延係数
ａｎｏｕｔ：地点ｎから流出する遅延係数
ｃｎｉｎ：地点ｎに流入する合流比率係数
ｃｎｏｕｔ：地点ｎから流出する分流比率係数
各地点での出入り口広さ等から決まる最大人流量をＰｎＭＡＸ、そのときのａｎをａｎＭＡＸとし、ある時刻におけるａｎ、ｃｎをそれぞれａｎｔｎ、ｃｎｔｎとするとａｎｔｎ＝０（その方向に通行規制有りの場合）  …（１）
ａｎｔｎ＝ａｎｔｎＭＡＸ（ａｎｔｎＭＡＸ≦１の場合）  …（２）
ａｎｔｎ＝１としておく（ａｎｔｎＭＡＸ＞１の場合）  …（３）
ｃｎｔｎ＝一定で任意に設定  …（４）
【００２６】
Ｐ１ｉｎ＝０  …（５）
Ｐ１ｏｕｔ＝ａ１ｏｕｔ×ｃ１ｏｕｔ×Ｂ５ｏｕｔ  …（６）
Ｐ２ｉｎ＝０  …（７）
Ｐ２ｏｕｔ＝ａ２ｏｕｔ×Ｐ４ｏｕｔ  …（８）
Ｐ３ｉｎ＝ａ３ｉｎ×Ｐ５ｉｎ  …（９）
Ｐ３ｏｕｔ＝０  …（１０）
Ｐ４ｉｎ＝０  …（１１）
Ｐ４ｏｕｔ＝ａ４ｏｕｔ（Ｐ６ｏｕｔ＋Ｐ７ｏｕｔ＋Ｐ８ｏｕｔ）  …（１２）
Ｐ５ｉｎ＝ａ５ｉｎ（Ｐ６ｉｎ＋Ｐ７ｉｎ＋Ｐ８ｉｎ）  …（１３）
Ｐ５ｏｕｔ＝０  …（１４）
【００２７】
Ｐ６ｉｎ＝ａ６ｉｎ×ｃ６ｉｎ×Ｂ５ｉｎ  …（１５）
Ｐ６ｏｕｔ＝ａ６ｏｕｔ×ｃ６ｏｕｔ×Ｂ５ｏｕｔ  …（１６）
Ｐ７ｉｎ＝ａ７ｉｎ×ｃ７ｉｎ×Ｂ５ｉｎ  …（１７）
Ｐ７ｏｕｔ＝ａ７ｏｕｔ×ｃ７ｏｕｔ×Ｂ５ｏｕｔ  …（１８）
Ｐ８ｉｎ＝ａ８ｉｎ（Ｐ９ｉｎ＋Ｐ１０ｉｎ＋Ｐ１１ｉｎ）  …（１９）
Ｐ８ｏｕｔ＝ａ８ｏｕｔ（Ｐ９ｏｕｔ＋Ｐ１０ｏｕｔ＋Ｐ１１ｏｕｔ）  …（２０）
Ｐ９ｉｎ＝ａ９ｉｎ×ｃ９ｉｎ×（Ｂ１ｉｎ＋Ｂ２ｉｎ）  …（２１）
Ｐ９ｏｕｔ＝ａ９ｏｕｔ×ｃ９ｏｕｔ×（Ｂ１ｏｕｔ＋Ｂ２ｏｕｔ）  …（２２）
【００２８】
Ｐ１０ｉｎ＝ａ１０ｉｎ×ｃ１０ｉｎ×（Ｂ１ｉｎ＋Ｂ２ｉｎ）  …（２３）
Ｐ１０ｏｕｔ＝ａ１０ｏｕｔ×ｃ１０ｏｕｔ×（Ｂ１ｏｕｔ＋Ｂ２ｏｕｔ）  …（２４）
Ｐ１１ｉｎ＝ａ１ｉｎ（Ｐ１２ｉｎ＋Ｐ１３ｉｎ＋Ｘ１１ｉｎ）  …（２５）
Ｐ１１ｏｕｔ＝ａ１１ｏｕｔ（Ｐ１２ｏｕｔ＋Ｐ１３ｏｕｔ＋Ｘ１１ｏｕｔ）  …（２６）
Ｐ１２ｉｎ＝ａ１２ｉｎ×Ｂ３ｉｎ  …（２７）
Ｐ１２ｏｕｔ＝ａ１２ｏｕｔ×Ｂ３ｏｕｔ  …（２８）
【００２９】
Ｐ１３ｉｎ＝ａ１３ｉｎ×Ｂ４ｉｎ  …（２９）
Ｐ１３ｏｕｔ＝ａ１３ｏｕｔ×Ｂ４ｏｕｔ  …（３０）
ただし、上記において
Ｘ１１ｉｎ＝Ｂ５ｉｎ−（Ｐ６ｉｎ＋Ｐ７ｉｎ）  …（３１）
Ｘ１１ｏｕｔ＝Ｂ５ｏｕｔ−（Ｐ１ｏｕｔ＋Ｐ６ｏｕｔ＋Ｐ７ｏｕｔ）  …（３２）
【００３０】
各比率係数の関係は
ｃ６ｉｎ＋ｃ７ｉｎ＋ｃ１１ｉｎ＝１  徒歩その他で流入量Ｂ５ｉｎに対する地点ｎに流入する比率係数の総和は１  …（３３）
ｃ１ｏｕｔ＋ｃ６ｏｕｔ＋ｃ７ｏｕｔ＋ｃ１１ｏｕｔ＝１  徒歩その他で流入量Ｂ５ｏｕｔに対する地点ｎから流出する比率係数の総和は１  …（３４）
ｃ９ｉｎ＋ｃ１０ｉｎ＝１  電鉄駅からの流入量（Ｂ１ｉｎ＋Ｂ２ｉｎ）に対する地点ｎに流入する比率係数の総和は１  …（３５）
ｃ９ｏｕｔ＋ｃ１０ｏｕｔ＝１  電鉄駅からの流出量（Ｂ１ｏｕｔ＋Ｂ２ｏｕｔ）に対する地点ｎから流出する比率係数の総和は１  …（３６）
【００３１】
Ａｎにおける人出をＡｎｈ  、その初期値（設定可）をＡｎｓ  、密度をＡｎｍ  とすると
Ａｎｍ  ＝Ａｎｈ  ／Ａｎの面積
Ａ１ｈ  ＝Σ（Ｐ１ｉｎ＋Ｐ２ｉｎ＋Ｐ３ｉｎ）＋Ａ１ｓ  …（３７）
Ａ２ｈ  ＝Σ（Ｐ２ｏｕｔ＋Ｐ３ｏｕｔ＋Ｐ４ｉｎ＋Ｐ５ｉｎ）＋Ａ２ｓ  …（３８）
Ａ３ｈ  ＝Σ（Ｐ４ｏｕｔ＋Ｐ５ｏｕｔ＋Ｐ６ｉｎ＋Ｐ７ｉｎ＋Ｐ８ｉｎ）＋Ａ３ｓ  …（３９）
Ａ４ｈ  ＝Σ（Ｐ８ｏｕｔ＋Ｐ９ｉｎ＋Ｐ１０ｉｎ＋Ｐ１１ｉｎ）＋Ａ４ｓ    …（４０）
【００３２】
尚、各遅延係数は、上記各式から決まる。
例えば、上記（２９）式ａ１３ｉｎを求める。
（２９）式からａ１３ｉｎ＝Ｐ１３ｉｎ÷Ｂ４ｉｎ
ａ１３ｉｎｔｎＭＡＸ＝Ｐ１３ｉｎＭＡＸ÷Ｂ４ｉｎｔｎ
仮にＢ４ｉｎｔｎ＝５０，Ｐ１３ｉｎＭＡＸ＝１００の場合
上記よりａ１３ｉｎｔｎＭＡＸ＝１００÷５０＝２＞１となるため
上記の（１）〜（３）式のうち（３）式が適応され
ａ１３ｉｎｔｎ＝１となる。
【００３３】
上記数式と予め人間にて過去のデータ等から予想したＰｎＭＡＸの各個を入力しておき、各遅延係数は予測処理部１００が自動計算処理する。
また、合流比率係数は人間が予想若しくは過去のデータから想像して上記（３３）〜（３６）式を満たす値を、操作入力部８０から設定入力する。
なお、（３３）〜（３６）式の関係は、事前に作成した会場警備系統図から各関係を人間が導き出して設定時に忘れないよう装置に入力保存しておく。
更に、上記演算式は会場警備系統図に合わせてその都度、人間が作成及び修正する。
【００３４】
▲４▼予測結果の表示
予測処理部１００は、データ記憶部１１０に入力された情報から、上記演算式にて演算した結果を表示処理部４０に渡して、表示部３０の人出のデータ一覧表（事前予測用）に表示する。
この予測値をベース予測値としてデータ記憶部１１０に保存しておく。
【００３５】
▲５▼警備対象区域の危険警報処理
操作入力部８０から各警備対象区域Ａ１〜Ａｎの人出密度（人／ｍ３）の危険警報設定値（１段、２段）を入力し、警報判定部９０は、予測値が危険警報設定値を越える場合は表示処理部４０に通知し数値の色替え表示を行うことにより警報を通知する。
また、警報判定部９０は、再予測値が危険警報設定値から下限に復帰した場合には表示処理部４０に通知し数値を点滅表示して通知する。
【００３６】
▲６▼通行規制の計画の策定
危険警報設定値を越えた時間帯の人出を安全にする（警報値よりも少なくする）ための通行規制の地点と時間帯を検討して、操作入力部８０より通行規制の該当欄に通行規制の有無予定を入力する。
予測処理部１００は、通行規制有りの場合は、該当の予測値は０値にして次回通行規制無しの時刻の各予測数値にもとの予測値を加算して、各予測値を再予測し表示処理部４０により表示する。
但し、加算した値が、その時刻の最大値（ＰｎＭＡＸ  ）を越える場合はその予測値は最大値として扱い、越えた分の値はそれ以降通行規制が無い時刻の予測値に加算する。
【００３７】
通行規制の設定を解除した場合、予測処理部１００において、予測値はベース予測値をもとにその逆の演算を行いもとの数値に戻す。
以降、予測処理部１００により通行規制の模擬を繰り返し、危険警報設定値を越える時間帯が無く、かつ警備対象区域Ａ１〜Ａｎの人出が地域によって及び時間帯によってできるだけ平滑化される通行規制方法を模索した後、データ記憶部１１０に保存操作を行って、事前警備計画案とする。
更に予想以上に人出が多かった場合の対応にも備え、条件表の予測入力値（各交通機関からの流出入量）を変えて、複数の事前警備計画案を立案保存しておく。
【００３８】
（４）人出の予測と通行規制計画の立案（過去履歴データを使用する場合）
過去実績があり過去履歴ファイルを使用する場合は、上記（３）項の▲２▼の処理に代えて下記処理が可能となり、その他の処理は上記と同様である。
即ち、人出データ一覧表（事前予測用）を表示して、次回予測に使用したい過去のファイルを複数選択し、諸条件を入力すると、予測処理部１００は、過去の各交通機関からの流出入量の実測値データから決められた処理を行い予測データを表示する。
決められた処理とは、過去ファイルの中から同一時刻の流出入データを平均化、或いは時刻表が異なる場合は、今回時刻表のタイミングに合わせて加算、前後へ均一分配処理を言う。
【００３９】
警備実施時には、主催者側はイベント警備監視方法として、警備本部の運用及びイベント警備監視装置の処理を以下の通り行う。
（１）警備本部の運用
警備本部は、イベント警備監視装置の表示部３０に表示される、会場警備系統図及び予測実測データ一覧画面、各地点のカメラ映像を監視しながら各警備地点の警備員に通行規制、誘導等の警備指示を行う。
【００４０】
（２）イベント警備監視装置の処理
イベント警備監視装置の処理は、以下の通り、映像の表示、画像処理による人流の計測、人流の表示、人出データ一覧表（実測用）への実測値の表示、実測値からの以降の予測、警備対象区域の危険警報処理、通行規制の検討及び画像の記憶及び再生よりなる。
【００４１】
▲１▼映像の表示
各カメラ１０から入力された映像信号を、映像入力処理部２０により信号変換して表示処理部４０にて表示処理し、表示部３０に表示する。
即ち、映像入力処理部２０は、ＮＴＳＣ方式等の入力されたアナログ映像信号をＭＰＥＧＩＩ形式等のデジタル信号に変換し、表示処理部４０に送る。
表示処理部４０はデジタル信号を表示部３０に表示するための処理を行うと同時に、画像処理部５０にデジタル信号を送信する。
【００４２】
▲２▼画像処理による人流の計測
画像処理部５０は入力された各画像から画像処理にて人物を抽出し、計測処理部６０に出力した通行方向別の人数を計測し、設定した計測周期毎にデータ記憶部１１０にデータを保存する。
即ち、画像処理部５０にて、エッジ抽出、モデルマッチング処理にて人間一人一人を認識する。計測誤差を最小にするために、カメラは撮影箇所に対してできるだけ真上から撮影できる位置に設置する。
計測処理部６０にて、カメラ映像中に人間の進行方向に基準線を設け、それと垂直に二次元の方向軸を設定し、認識した人間の座標を計算し、動き検出処理にて人間進行方向（入か出か）を検出し、更に単位時間における人間の座標位置の変化を差分処理することで、基準軸を通過した人間の人数を検出する（例えば、特願２００２−３４３５８７「動き方向検出方法及び装置」）。
【００４３】
▲３▼人流の表示
表示処理部４０は操作入力部８０から選択された画面（映像、会場警備系統図、人出データ一覧表（実測用）等）及び実測値を表示部３０に表示する。
▲４▼人出データ一覧表（実測用）への実測値の表示
複数の人出データ一覧表（事前予測用）ファイル（＝事前計画警備案）の中から、今回実測用として使用したいファイルを操作入力部８０より選択操作し、予測処理部１００は選択されたファイルを人出データ一覧（実測用）ファイルとして新規に作成し表示する。
予測値に代わって実測値に表示更新される。
更に、予測処理部１００は人流の実測値から、警備対象区域Ａ１〜Ａｎの人出のデータを演算し実測値として更新し、表示処理部４０により表示更新する。
【００４４】
▲５▼実測値からの以降を再予測
予測処理部１００は実測値を更新処理した後、以降の予測値を全て演算して更新する。即ち、再予測する。
再予測演算処理は以下の通り。
実測値表示更新した時刻におけるＰｎを実測Ｐｎｔ（ｎ）、
事前に予測していたＰｎを予測Ｐｎｔ（ｎ）、
次回の更新すべき予測値を再予測Ｐｎｔ（ｎ＋１）とすると、
通行規制が有りの場合は、再予測Ｐｎｔ（ｎ＋ｍ）＝０
通行規制無しの場合は、再予測Ｐｎｔ（ｎ＋ｍ）＝ｊｎ×予測Ｐｎｔ（ｎ）
ｊｎは変動係数で実測Ｐｎｔ（ｎ）／予測Ｐｎｔ（ｎ）…（ア）
（但し実測Ｐｎｔ（ｎ）或いは予測Ｐｎｔ（ｎ）が０の場合はｊｎ＝１とする）
（ア）式の実測開始からの平均値をｊｎとする。
また、（３）項▲４▼のベース予測値もその度にｊｎを積算して更新しておく。
【００４５】
▲６▼警備対象区域の危険警報処理
操作入力部８０から入力設定された各警備対象区域Ａ１〜Ａｎの人出密度（人／ｍ３）の危険警報設定値（１段、２段）に基づき、警報判定部９０は実測値及び再予測した予測値が危険警報設定値を越える場合は表示処理部４０に通知し数値の色替え表示を行うことにより警報を通知する。
警報判定部９０は、再予測値が危険警報設定値から下限に復帰した場合には表示処理部４０に通知し数値を点滅表示して通知する。
【００４６】
▲７▼通行規制の検討
監視員は危険警報設定値を越えた時間帯の人出を安全にする（警報値よりも少なくする）ための通行規制の地点と時間帯を検討（いつどこを通行規制すべきか或いは解除できるか）をして、操作入力部８０より通行規制の該当欄に通行規制の有無予定を入力する。
予測処理部１００は、その都度入力された通行規制の条件を加味して、予測出力値を再予測し表示処理部４０により表示する。
以降、監視員は、予測処理部１００を利用して通行規制の模擬を繰り返し、危険警報設定値を越える時間帯が無く、かつ警備対象区域Ａ１〜Ａｎの人出が地域によって及び時間帯によってできるだけ平滑化される通行規制方法を模索し、最新の警備計画案として運用する。
【００４７】
▲８▼画像の記憶及び再生
画像記録部７０は、指定したカメラ１０の画像を指定した期間、或いは指定したカメラ１０の画像をサイクリックに指定した周期で指定した期間、記録保存し、指令に基づいて再生可能とする。
▲９▼計測終了時のデータ保存
計測期間が終了した時点で、各種データは履歴ファイルとしてデータ記憶部１１０に蓄積保存される。
【００４８】
【発明の効果】
以上、実施例に基づいて具体的に説明したように、本発明によれば、現状のイベント運営おける交通規制、通行ルート、スペースの検討、人の流れの制御や、警備計画立案は主催者側の経験や勘のみに頼らずに、履歴データ、実測データ、予測データ等から定量的に判断し実施できる。
過去の人出や、各地点の人流に関する定量的なデータを使用して予測するため次回の警備計画立案時の予想が精度が良くなる。
また、主催者の人事異動等で担当者が代わっても履歴データを参照し、計画を立てることができる。
混雑区域における群衆の密集に対する危険判断は、現場の警備員の及び監視カメラの映像からの状況把握によるものだけでなく、定量的な危険度の把握及びその値における現場状況の混雑度合いの感覚を掴むことができ、事故等の危険性を事前に確実にシステマチックに抑えることが可能となる。
また、定量的な数値による自動通知がされるため常に人間が全ての危険個所の混雑度合いを監視していなくてもよくなり、監視対象が多く、広範囲になるほど、監視員の負担が軽くまた、見落としの危険性も無くなる。
イベント会場への流入経路が多く複雑になっても、全体の人流を把握しながら、各地点連動させて規制の制御を行う判断が容易となる。
【図面の簡単な説明】
【図１】本発明の一実施例に係る会場周辺警備地図である。
【図２】本発明の一実施例に係る会場警備系統図である。
【図３】本発明の一実施例に係るイベント警備監視装置を示すブロック図である。
【符号の説明】
１０  カメラ
２０  映像入力処理部
３０  表示部
４０  表示処理部
５０  画像処理部
６０  計測処理部
７０  画像記録部
８０  操作処理部
９０  警報判定部
１００  予測処理部
１１０  データ記憶部
Ｐ１〜Ｐｎ  カメラの設置地点
Ａ１〜Ａｎ  警備対象区域
【図１】
2004178358.tif 000004
【図２】
2004178358.tif 000005
【図３】
2004178358.tif 000006
【手続補正書】
【提出日】平成15年1月9日(2003.1.9)
【手続補正１】
【補正対象書類名】図面
【補正対象項目名】図２
【補正方法】変更
【補正の内容】
【図２】
2004178358.tif 000007